(57)【要約】【課題】  本発明は、ｓＲＧＢ色空間を実現した液晶表示装置及びその駆動方法を提供することを目的とする。【解決手段】  外部のグラフィックソースから画像データを受信して、前記画像データの特定データ値が表現している階調の輝度が８０ｃｄ/ｍ2になるように画像データの輝度を調整する輝度調整部と、各画像データに対してガンマ２．２曲線を満たすガンマ特性を有する画像データを出力させるガンマ変換部を含むタイミング制御部と、前記タイミング制御部から画像データを受信して、その画像データに該当する階調電圧を選択して出力させるデータ駆動部、及び少なくとも８０ｃｄ/ｍ2以上の輝度にランプが発光するように制御するインバータとを含む液晶表示装置を提供する。【選択図】      図１
2004163946.tif 000002
【特許請求の範囲】
【請求項１】
外部のグラフィックソースから画像データを受信して、前記画像データの特定データ値が表現している階調の輝度が８０ｃｄ/ｍ2になるように画像データの輝度を調整する輝度調整部と、各画像データに対してガンマ２．２曲線を満たすガンマ特性を有する画像データを出力させるガンマ変換部とを含むタイミング制御部と、
前記タイミング制御部から画像データを受信して、その画像データに該当する階調電圧を選択して出力させるデータ駆動部、及び
ランプが少なくとも８０ｃｄ/ｍ2以上の輝度に発光するように制御するインバータとを含む液晶表示装置。
【請求項２】
前記輝度調整部は、前記画像データの特定データ値が表現している階調の輝度が８０ｃｄ/ｍ2になるように、前記特定データ値に所定のデータ値を足して輝度調整を行う請求項１に記載の液晶表示装置。
【請求項３】
前記ガンマ変換部は、ＲＧＢの各カラー別に独立的にガンマ変換を行うためのＲデータ補正部、Ｇデータ補正部及びＢデータ補正部で構成されており、
前記各Ｒ、Ｇ及びＢデータ補正部は、画像データによって表現される各階調レベルに対してガンマ２．２曲線を満たすガンマ特性を有する画像データを保存して、入力される画像データに対応して前記保存された画像データを出力させる請求項１または請求項２に記載の液晶表示装置。
【請求項４】
前記各Ｒ、Ｇ及びＢデータ補正部は非揮発性メモリ素子によって実現される請求項３に記載の液晶表示装置。
【請求項５】
前記ガンマ変換部はＲＧＢの各カラー別に独立的にガンマ変換を行うためのＲデータ補正部、Ｇデータ補正部及びＢデータ補正部で構成されており、
入力される画像データにより表現される各階調レベルに対してガンマ２．２曲線を満たすガンマ特性を有する画像データを保存している目標ガンマデータ保存部と、前記目標ガンマデータ保存部に保存された画像データを前記Ｒ、Ｇ及びＢデータ補正部にロードする制御部をさらに含み、
前記Ｒ、Ｇ及びＢデータ補正部は、前記入力された画像データの階調レベルに対応するものを前記ロードされた画像データの中で選択して出力させる請求項１または請求項２に記載の液晶表示装置。
【請求項６】
前記Ｒ、Ｇ及びＢデータ補正部は揮発性メモリ素子により実現され、前記目標ガンマデータ保存部は非揮発性メモリ素子によって実現される請求項５に記載の液晶表示装置。
【請求項７】
前記目標ガンマデータ保存部は、前記タイミング制御部の内部と外部に具備された非揮発性メモリ素子によって実現される請求項５に記載の液晶表示装置。
【請求項８】
前記ガンマ変換部は、注文型半導体回路によって実現される数式演算によって入力される画像データからガンマ特性が変換された画像データを求める請求項１または請求項２に記載の液晶表示装置。
【請求項９】
バックライトの輝度を８０ｃｄ/ｍ2より大きい特定値に固定する第１段階と、
所定範囲の入力された画像データのうち特定画像データが示す階調の輝度レベルが８０ｃｄ/ｍ2になるように前記画像データの輝度を調整し、前記入力された画像データのガンマ特性をガンマ２．２曲線に合うように変換する第２段階を含む液晶表示装置の駆動方法。
【請求項１０】
前記第２段階のガンマ特性変換は注文型半導体回路上で実現される数式演算によって行われる請求項９に記載の液晶表示装置の駆動方法。
【発明の詳細な説明】
【技術分野】
【０００１】
本発明は液晶表示装置及びその駆動方法に関し、さらに詳しくはインターネット上の標準色空間であるｓＲＧＢモードを実現するための液晶表示装置及びその駆動方法に関する。
【背景技術】
【０００２】
最近、パーソナルコンピュータやテレビなどの表示装置分野において大画面化、軽量化及び薄形化が要求されており、このような要求に答えるために陰極線管（ＣＲＴ）の代りに液晶表示装置のようなフラットパネル表示装置が開発されて、コンピュータ用表示装置及び液晶テレビなどの分野で実用化されている。液晶表示装置のパネルは、マトリックス状に画素パターンが形成された基板とそれに対向する基板で構成される。前記二つの基板の間には異方性誘電率を有する液晶物質が注入される。前記二つの基板の両端に印加される電界の強さを調節することによって基板を透過する光の量が制御されて所望の画像表示が行われる。
【０００３】
一般にディスプレイ装置は、その装置固有のＲＧＢ色空間を利用して本来の映像を画面上に再現する。つまり、複数の階調レベルで色空間が表現される時に各階調レベルに対応する輝度曲線、即ちガンマ曲線によってガンマ補正を行い、ここに色補正をさらに行うことによって本来の映像を復元する。ところが、前記ＲＧＢ色空間はほとんど装置依存的であるため、装置開発者や使用者は本来の映像を再現する際に装置固有のイメージプロファイルを考慮しなければならず、これは相当な負担になる。そして、表示装置の種類や特性も非常に多様であるため、これらに対する標準的な色空間の定義が必要となった。その要求に応じて、１９９６年１１月にＨＰ社とＭＳ社によってＲＧＢモニター等の平均概念として単一標準ＲＧＢ色空間、つまりｓＲＧＢ色空間が提案された。このようなｓＲＧＢ色空間はその後インターネット上の標準的な色空間として受入れられている。
【０００４】
本発明は、このようなｓＲＧＢ色空間を液晶表示装置で実現したいとの要求を達成するための技術に関するものである。前記ｓＲＧＢ色空間を液晶表示装置で実現するためには、３つの要件が必要である。第一に、最大入力階調レベルに対する表示輝度レベルが８０ｃｄ/ｍ2であること。第二に、入力階調レベルの輝度特性を示すガンマ曲線がガンマ２．２曲線を満たすこと。第三に、ＲＧＢカラーに対する表示モデルオフセットがゼロであることである。液晶表示装置分野では、このようなｓＲＧＢ色空間を装置に取り入れることが要求されている。
【発明の開示】
【発明が解決しようとする課題】
【０００５】
本発明は、前記のような技術的背景で従来の技術的課題を解決するためのもので、ｓＲＧＢ色空間を実現した液晶表示装置及びその駆動方法の提供を目的とする。
【課題を解決するための手段】
【０００６】
本発明の液晶表示装置は、外部のグラフィックソースから画像データを受信して、前記画像データの特定データ値が表現している階調の輝度が８０ｃｄ/ｍ2になるように画像データの輝度を調整する輝度調整部、各画像データに対してガンマ２．２曲線を満たすガンマ特性を有する画像データを出力させるガンマ変換部を含むタイミング制御部と、前記タイミング制御部から画像データを受信して、その画像データに該当する階調電圧を選択して出力させるデータ駆動部、及び少なくとも８０ｃｄ/ｍ2以上の輝度でランプが発光するように制御するインバータを含む。
【発明の効果】
【０００７】
本発明によれば、バックライトの輝度を８０ｃｄ/ｍ2より大きな特定値に固定して、入力された画像データの輝度が特定画像データ値の８０ｃｄ/ｍ2を満たすように画像データの輝度を調整し、ｓＲＧＢ色空間で要求されるガンマ２．２曲線に合うようにＲＧＢ画像データのガンマ特性を変換させる液晶表示装置を提供することによって、液晶表示装置におけるｓＲＧＢモードが実現でき、液晶表示装置の表示品質をさらに向上できる。
【発明を実施するための最良の形態】
【０００８】
添付した図面を参照しながら本発明の実施例について本発明の属する技術分野における通常の知識を有する者が容易に実施できるように詳細に説明する。しかし、本発明は多様な形態に実現でき、ここで説明する実施例に限定されるものではない。まず、図１乃至図８を参照して本発明の実施例による液晶表示装置について説明する。図１は、本発明の実施例による液晶表示装置の全体構成を示すものである。図１に示すように、本発明の実施例による液晶表示装置は液晶パネル１０、ゲート駆動部２０、データ駆動部３０、タイミング制御部４０、電圧発生部５０、ランプ６０及びインバータ７０を含む。
【０００９】
前記タイミング制御部４０は、外部のグラフィックソース（図示せず）からＲＧＢ画像データＲＧＢと共に当該ＲＧＢ画像データのディスプレイのための同期信号Ｈｓｙｎｃ、Ｖｓｙｎｃとクロック信号ＤＥ、ＭＣＬＫの提供を受けて、前記ＲＧＢ画像データＲＧＢに対して輝度調整とガンマ補正を行い、補正されたＲＧＢ画像データＲ’Ｇ’Ｂ’を得て前記データ駆動部３０に出力する。なお、前記タイミング制御部４０は、ゲート駆動部２０とデータ駆動部３０のディスプレイ動作を制御するための信号ＨＣＬＫ、ＳＴＨ、ＬＯＡＤ、Ｇａｔｅ  ｃｌｏｃｋ、ＳＴＶ、ＯＥを生成して当該駆動部２０、３０に出力する。
【００１０】
具体的に、前記タイミング制御部４０は、同期信号Ｈｓｙｎｃ、Ｖｓｙｎｃとクロック信号ＤＥ、ＭＣＬＫを利用して前記ディスプレイ動作を制御するための信号ＨＣＬＫ、ＳＴＨ、ＬＯＡＤ、Ｇａｔｅ  ｃｌｏｃｋ、ＳＴＶ、ＯＥを生成する制御信号処理ブロック４１と、ＲＧＢ画像データの特定データ値が表現している階調の輝度が８０ｃｄ/ｍ2になるように画像データの輝度を調整する輝度調整部４２と、前記ＲＧＢ画像データのガンマ特性をガンマ２．２曲線に合うように変換するガンマ変換部４３をその内部に含んでいる。
【００１１】
前記輝度調整部４２とガンマ変換部４３は、ＲＧＢ画像データを処理する手段で、以下に詳細に説明する。前記輝度調整部４２は、ｎビットのＲＧＢ画像データを受信して、前記ＲＧＢ画像データの特定データ値が表現している階調の輝度が８０ｃｄ/ｍ2になるように画像データの輝度を調整する。図２Ａにはこのような輝度調整過程が示されている。入力されたＲＧＢ画像データの特定データが示す階調が“Ｄ”であるとき、前記階調“Ｄ”の輝度が８０ｃｄ/ｍ2になるためには“ΔＤ”分の階調が前記階調“Ｄ”に追加されなければならない。従って、前記輝度調整部４２は、特定画像データが示す階調の輝度が８０ｃｄ/ｍ2になるように入力された画像データに前記“ΔＤ”に対応するデータ値を加えることによって輝度調整を行う。このような輝度調整により、図２Ａに示されるように階調に対する輝度曲線が“Ａ”方向に移動する。
【００１２】
前記ガンマ変換部４３は、輝度が調整された画像データを前記輝度調整部４２から受信して、画像データのガンマ特性をガンマ２．２曲線に合うように変換してガンマ特性が変換された画像データＲ’Ｇ’Ｂ’を出力する。この時、前記ガンマ変換部４２は、ルックアップテーブル（ＬＵＴ）や数式演算によってガンマ特性の変換を行うことができ、図１に示す構成はルックアップテーブルの方法の例である。この方法では、元のＲＧＢ画像データの各階調別にガンマ特性変換後のＲＧＢ画像データをマッピング（ｍａｐｐｉｎｇ）させてルックアップテーブルを構成し、入力されるＲＧＢ画像データに対応する変換されたＲＧＢ画像データを前記ルックアップテーブルから検索して出力させる。
【００１３】
ここで、ガンマ特性変換の精度を高めるために、ガンマ特性の変換されたＲＧＢ画像データのビット数を元のＲＧＢ画像データビットの数より大きくすることもできる。図１のガンマ変換部４３においては、ｎビットの元のＲＧＢ画像データに対して、同じビットのガンマ特性が変換されたＲＧＢ画像データが出力される。図２Ｂは、元のＲＧＢ画像データのガンマ曲線と、ｓＲＧＢ色空間のガンマ特性に対する要件であるガンマ２．２曲線を比較して示している。図２の横軸は、入力されたＲＧＢ画像データの最大値が１と正規化された階調レベルであり、縦軸は該階調レベルに対応する最大値が１と正規化された輝度レベルである。ｓＲＧＢ色空間の要件を満たすためには、前記ガンマ２．２曲線が満たされるようにＲＧＢデータのガンマ特性を変換することが必須である。前記ガンマ変換部４３によってガンマ特性が変換されたＲＧＢ画像データＲ’Ｇ’Ｂ’は、前記データ駆動部３０に出力される。
【００１４】
前記データ駆動部３０は、前記制御信号ＨＣＬＫ、ＳＴＨを利用して前記タイミング制御部４０のガンマ変換部４３からＲＧＢ画像データＲ’Ｇ’Ｂ’の提供を受けて、それを保存し、前記電圧発生部５０から液晶パネル１０に実際に印加されるアナログ電圧である階調電圧Ｖｇｒａｙの提供を受けて、各画素のためのＲＧＢ画像データに対応する階調電圧Ｖｇｒａｙを選択した後、ロード信号ＬＯＡＤによって前記選択された電圧を液晶パネル１０に伝達する。
【００１５】
前記ゲート駆動部２０は、前記タイミング制御部４０からゲートクロック信号と垂直ライン開始信号ＳＴＶの提供を受けて、前記電圧発生部５０からゲート電圧Ｖｇａｔｅの提供を受けて、出力イネーブル信号ＯＥによって前記液晶パネル１０上のゲートラインを選択するためのゲート電圧を順次に出力させることによって前記液晶パネル１０上の各ゲートラインを順次にスキャニングする。
【００１６】
図面には詳細に示されていないが、前記液晶パネル１０は横方向に配列されて前記ゲート電圧を伝達する複数のゲートラインと、縦方向に配列されて前記階調電圧を伝達する複数のデータライン、前記各ゲートラインとデータラインの交差点にマトリックス状に形成された複数の画素を含む。前記各画素は当該ゲートラインが選択される時に、その内部に具備された薄膜トランジスタによって記録可能な状態となり、データラインを通じて伝達された階調電圧によってそれに対応する所定の輝度レベルに表示されることで、所望の画像が画面全体的に表示できる。
【００１７】
前記ランプ６０は、前記液晶パネル１０のバックライトとして動作し、前記インバータ７０は前記ランプ６０の発光を制御する。本発明の実施例では、ｓＲＧＢ色空間の輝度要件を満足するために、前記インバータ７０が最小限８０ｃｄ/ｍ2より明るい状態で前記ランプ６０を制御することを仮定して説明する。
【００１８】
次に、図３及び図４を参照して前記ガンマ変換部４３の動作についてさらに詳細に説明する。図３は、前記図１のガンマ変換部４３の動作を説明するためのもので、図４は、前記図３のガンマ変換部４３におけるガンマ曲線の変換過程を説明するためのものである。
【００１９】
図３に示すように、前記ガンマ変換部４３はＲデータ補正部４３１と、Ｇデータ補正部４３２及びＢデータ補正部４３３を含む。図３に示されたガンマ変換部４３は、輝度調整部４２から出力されたｎビットのＲＧＢ画像データを受信して、そのガンマ特性をガンマ２．２曲線が満されるように変換して、ガンマ特性が変換したＲＧＢ画像データを出力させる。ここで、ガンマ特性の変換の特徴は、各カラーＲ、Ｇ、Ｂに対して独立的に行われていることである。
【００２０】
詳細には、前記Ｒ、Ｇ及びＢデータ補正部４３１、４３２、４３３は、元の画像データが入力されれば、そのデータからガンマ２．２曲線が有する輝度値と同じ輝度値を出力する元の画像階調に該当する画像データを出力する。その例として図４を参照すれば、入力された元の画像データの階調レベルが１２８であるとき、この階調レベルに対するガンマ２．２曲線が有する輝度値と同じ輝度値を出力する元の画像階調は１２９．４である。前記各Ｒ、Ｇ及びＢデータ補正部４３１、４３２、４３３は、互いに同じ輝度値を有する元の画像データのガンマ曲線とガンマ２．２曲線の画像データを互いにマッピングさせて、ルックアップテーブル形態に保存し、元の画像データが入力されればその階調からガンマ２．２曲線が有する輝度値と同じ輝度値を有する元の画像階調に該当する画像データを出力させる。前記例では、階調レベル１２９．４に該当する画像データを出力させる。前記ガンマ変換の精度を高めるために、ガンマ変換された画像データのビット数をｍビット（ｍはｎより大きい）に拡張することが可能である。この際、図４のように少数点以下の階調レベルに対する表現も可能になる。さらに、前記Ｒ、Ｇ及びＢデータ補正部４３１、４３２、４３３は、前記ルックアップテーブルを保存するために非揮発性メモリ素子である、ＲＯＭ（ｒｅａｄ  ｏｎｌｙ  ｍｅｍｏｒｙ）素子から実現でき、これらはそれぞれ独立的ＲＯＭ素子から実現されたり、一つのＲＯＭ素子から実現されることもできる。
【００２１】
図３に示すガンマ変換部４３において、Ｒ、Ｇ及びＢデータ補正部４３１、４３２、４３３が非揮発性メモリ素子であるＲＯＭ素子から実現されたが、その変形も可能である。図５及び図６には前記ガンマ変換部に対する他の変形例が示されている。図５の変形例では、ガンマ変換部４３の他にＲＯＭ制御部４４と外部目標ガンマデータ保存部４５をさらに含んでおり、前記ガンマ変換部４３のＲ、Ｇ及びＢデータ補正部４３１、４３２、４３３は、揮発性メモリ素子であるＲＡＭ（ｒａｎｄｏｍ  ａｃｃｅｓｓ  ｍｅｍｏｒｙ）素子から形成されている。
【００２２】
前記外部目標ガンマデータ保存部４５には、タイミング制御部に入力されるＲＧＢ画像データの各階調レベルに対して、その階調レベルに対応するガンマ２．２曲線の輝度値と同じ輝度値を有する階調レベルを互いにマッピングさせたルックアップテーブルが保存されており、ＲＯＭ制御部４４は、前記外部目標ガンマデータ保存部４５に保存されているルックアップテーブルを、前記各Ｒ、Ｇ及びＢデータ補正部４３１、４３２、４３３にロードさせる。その以降の動作については図３の説明と同じであるため説明を省略する。
【００２３】
図５に示す変形例では、ルックアップテーブルを前記外部目標ガンマデータ保存部４５に保存するので、液晶パネルを変更してもそれに該当する最適のルックアップテーブルのみを変更すれば対応が可能である。
【００２４】
図６には前記ガンマ変換部に関する別の変形例が示されている。図６に示す別の変形例では、ガンマ変換部４３、ＲＯＭ制御部４４及び外部目標ガンマデータ保存部４５の他に、内部目標ガンマデータ保存部４６をさらに含む点が前記図５に示される変形例と異なる。より詳細には、前記内部目標ガンマデータ保存部４６は、前記外部目標ガンマデータ保存部４５のようにルックアップテーブルを保存しており、前記ＲＯＭ制御部４４は、前記外部または内部目標ガンマデータ保存部４５、４６に保存されているルックアップテーブルを前記ガンマ変換部４３内のＲ、Ｇ及びＢデータ補正部４３１、４３２、４３３にロードさせる。この以降の動作については前記図３の説明と同じであるため説明を省略する。
【００２５】
図３のガンマ変換部４３と前記図７及び図８に示す変形例では、ルックアップテーブルを保存するためのＲＯＭまたはＲＡＭ素子の保存容量は非常に大きい。例えば、８ビットデータを保存するためには、Ｒ、Ｇ及びＢデータ補正部４３１、４３２、４３３の全体ＲＯＭに６１４４（=３Ｘ２５６Ｘ８）ビットが必要である。このように、ガンマ変換部４２をメモリ素子から実現すれば、非常に大きな保存容量が要される。そして、全体システムの消費電力も増加する。従って、ルックアップテーブルをメモリ素子に保存する方式の代りに、注文型半導体回路（ＡＳＩＣ）を用いてルックアップテーブルの機能を実現させる方法が提案されている。
【００２６】
以下に、図７及び図８を参照して数式演算によってガンマ２．２曲線を満たすためにガンマ変換を行う方法について説明する。前記数式演算によるガンマ変換方法は、入力されたＲＧＢ画像データからガンマ２．２曲線を満たす目標ガンマデータを数式演算によって得ることに特徴がある。図７は、本発明の実施例による液晶表示装置において、目標ガンマデータと入力された元の画像データの差を比較したものであり、図８は本発明の実施例による液晶表示装置において、数式演算によるガンマ変換の処理フローを示すものである。
【００２７】
前記数式演算によるガンマ変換方法においては、ＲＧＢ画像データが２５６階調を表現できる８ビット信号であると仮定し、ＲＧＢ画像データの目標ガンマデータと元の入力されたデータ間の差は図７と同じであるものと仮定する。
【００２８】
図７に示すように、Ｇ画像データＧの目標ガンマデータと元の画像データ間の差はなく、Ｒ及びＢ画像データＲ、Ｂの目標ガンマデータと元の画像データ間の差については、大概階調レベル１６０付近でその曲線の形態が変わる。また、Ｒ，Ｂ曲線はＧ曲線つまり元の画像データに対して略対称関係にあって、元の画像データからの最大偏差は境界階調点で６である。この点を考慮して、Ｒ及びＢ画像データＲ及びＢ画像データ（Ｒ8bit、Ｂ8bit）と目標ガンマデータ間の差（△Ｒ、△Ｂ）を近似的な式で示せば下記の式（１）及び式（２）のとおりである。
【００２９】
【数１】
2004163946.tif 000003
【００３０】
【数２】
2004163946.tif 000004
次は、このような式（１）及び式（２）を利用してＲ及びＢ画像データＲ、Ｂの目標ガンマデータを得るロジックの流れについて図８を参照して詳細に説明する。
【００３１】
図８に示すように、８ビットのＲ画像データが入力されれば、この値と予め設定された境界値“１６０”のうちどれが大きいかを比較する（Ｓ５０１）。前記Ｒ画像データＲが境界値“１６０”より大きければ、Ｒ画像データＲから境界値“１６０”を引く（Ｓ５０２）。次に、その結果値Ｒ-１６０に１/（２５５-１６０）をかけなければならないが、この演算は１/（２５５-１６０）が大概１１/１０２４と類似しているので、単純化のために（Ｒ-１６０）に１１をかけて、下位１０ビットを切り上げる（Ｓ５０３）。次に、（Ｒ-１６０）×１１/１０２４の自乗と４自乗を順次に演算する。この演算はＡＳＩＣ上でパイプラインで解決することができる（Ｓ５０４、Ｓ５０５）。前記演算の結果（（Ｒ-１６０）×１１/１０２４）4に６をかける演算を行い（Ｓ５０６）、６から前記演算の結果の６×（（Ｒ-１６０×１１/１０２４）4）を引いて式（１）のように△Ｒを得る（Ｓ５０７）。
【００３２】
前記段階Ｓ５０１において、Ｒ画像データＲが境界値“１６０”より小さければ境界値“１６０”からＲ画像データＲを引く（Ｓ５１１）。次に、その結果値１６０-Ｒに１/１６０をかけなければならないが、この演算は１/１６０が大概１３/２０４８と類似しているので、１６０-Ｒに１３をかけて、下位１１ビットを切り上げる（Ｓ５１２）。次に、（１６０-Ｒ）×１３/２０４８に６をかける演算を行い（Ｓ５１３）、６から前記段階Ｓ５１３の演算結果（１６０-Ｒ）×１３/２０４８×６を引いて式（１）のように△Ｒを得る（Ｓ５１４）。
【００３３】
前記段階Ｓ５０７またはＳ５１４で得られた△ＲからＲ画像データの１０ビットガンマ変換されたデータを求めるために、８ビットのＲ画像データに“４”をかけて１０ビットに変換して△Ｒを足す（Ｓ５０８）。同様に、Ｂ画像データＢもこのようなロジックで計算することができる。前記数式演算によるガンマ変換方法は、ガンマ特性が変換されたＲＧＢ画像データを得るために、各画像データに対応する目標ガンマデータにルックアップテーブルを保存する方法でなく、ＡＳＩＣ上で演算により得ることができ、この方法はルックアップテーブルを保存するためのメモリ素子を必要としない。
【００３４】
次に、図９を参照して本発明の実施例による液晶表示装置の駆動方法について説明する。図９には、本発明の実施例による液晶表示装置のｓＲＧＢモードを実現するプロセスが示されている。図９に示すように、本発明の実施例による液晶表示装置の駆動方法は、バックライトの輝度を８０ｃｄ/ｍ2より大きい特定値で固定する第１段階と、所定範囲のデータのうち任意の画像データが示す階調レベルでの輝度レベルが８０ｃｄ/ｍ2になるように画像データの輝度を調整して、前記入力された画像データのガンマ特性をガンマ２．２曲線に合うように変換する第２段階から構成される。
【００３５】
前記第１段階は、バックライト輝度を調整する過程であって、ｓＲＧＢ色空間に要求される条件を満足するために、バックライトランプが最小限８０ｃｄ/ｍ2より大きい輝度に発光するようにインバータを制御する過程である。
【００３６】
前記第２段階は、大きく画像データの輝度を調整する過程とガンマ変換を行う過程に分けられる。前記輝度調整過程では、所定範囲の入力された画像データのうち任意の画像データが示す階調レベルの輝度レベルが８０ｃｄ/ｍ2になるように画像データの輝度が調整される。前記ガンマ変換過程では、入力階調に対する輝度の関数で示されるガンマ２．２曲線を満たすように元のＲＧＢ画像データのガンマ特性が変換される。このようなガンマ変換は、ルックアップテーブルを利用したり、ＡＳＩＣ上で実現される数式演算を通じて元のＲＧＢ画像データからガンマ特性が変換されたＲＧＢ画像データを得ることによって達成できる。例えば、数式演算による場合、前記式（１）及び式（２）によって元のＲＧＢ画像データからガンマ２．２曲線を満たすようにガンマ特性が変換された目標ガンマデータを求めることができる。
【００３７】
以上、本発明の好ましい実施例について詳細に説明しましたが、本発明の権利範囲はこれに限定されるものではない。また、請求範囲で定義している本発明の基本概念を利用した当業者の様々な変形及び改良形態もまた本発明の権利範囲に属するものである。
【図面の簡単な説明】
【００３８】
【図１】本発明の実施例による液晶表示装置の全体構成を示すものである。
【図２Ａ】図１に示されるタイミング制御部で行われる輝度調整過程を示すものである。
【図２Ｂ】図１に示されるタイミング制御部で行われるガンマ補正を説明するために元のガンマ曲線とガンマ２．２曲線を比較して示すものである。
【図３】図１に示されるガンマ変換部をより詳細に示すものである。
【図４】図３にされるガンマ変換部におけるガンマ曲線の補正過程を説明するものである。
【図５】図３に示されるガンマ変換部の別の変形例を示すものである。
【図６】図３に示されるガンマ変換部のさらに別の変形例を示すものである。
【図７】本発明の実施例による液晶表示装置の目標ガンマデータと元のデータの差を比較したものである。
【図８】本発明の実施例による液晶表示装置の数式演算によるガンマ変換が適用される場合の処理プロセスを示しすものである。
【図９】本発明の実施例による液晶表示装置の駆動方法を説明するものである。
【符号の説明】
【００３９】
１０    液晶パネル
２０    ゲート駆動部
３０    データ駆動部
４０    タイミング制御部
４１    制御信号処理ブロック
４２    輝度調整部
４３    ガンマ変換部
５０    電圧発生部
６０    ランプ
７０    インバータ
【図１】
2004163946.tif 000005
【図２Ａ】
2004163946.tif 000006
【図２Ｂ】
2004163946.tif 000007
【図３】
2004163946.tif 000008
【図４】
2004163946.tif 000009
【図５】
2004163946.tif 000010
【図６】
2004163946.tif 000011
【図７】
2004163946.tif 000012
【図８】
2004163946.tif 000013
【図９】
2004163946.tif 000014